【手続補正書】
【提出日】平成29年2月9日(2017.2.9)
【手続補正１】
【補正対象書類名】特許請求の範囲
【補正対象項目名】全文
【補正方法】変更
【補正の内容】
【特許請求の範囲】
【請求項１】
アッパーと前記アッパーに固定されたソール構造を有し、ニット構成要素を組み込んだ履物製品であって、
前記ニット構成要素の前記アッパーを画定する部分と、
前記アッパーを有する一体ニット構造から形成され、前記ニット構成要素のスロート区域を通って延びている一体型ニットベロと
を備え、前記アッパーは前記ニット構成要素の外側面および反対側の内側面の少なくともどちらかの部分を含み、前記内側面は足を収容するための空洞を画定し、
前記一体型ニットベロは、前記アッパーの前方部分から足首開口部まで延びている前記ニット構成要素の前記スロート区域の外側側部および内側側部の一部に少なくとも沿って、前記スロート区域の前記前方部分に接合されている、履物製品。
【請求項２】
前記一体型ニットベロの少なくとも一部および前記アッパーの一部は、共通のヤーンを有する少なくとも１つのコースを含む、請求項１に記載の履物製品。
【請求項３】
前記アッパーの少なくとも一部および前記一体型ニットベロの一部は、共通のニット構造から形成される、請求項１または２に記載の履物製品。
【請求項４】
前記ニット構成要素は、前記アッパーおよび前記一体型ニットベロを有する一体ニット構造から形成された少なくとも１つの隆起要素をさらに備える、請求項１〜３のいずれか一項に記載の履物製品。
【請求項５】
前記ニット構成要素は、前記アッパーの前記スロート区域の前記外側側部および前記内側側部のそれぞれに配置され、前記ニット構成要素の前記外側面の上にある高さで延びている少なくとも２つの隆起要素を含む、請求項４に記載の履物製品。
【請求項６】
前記少なくとも１つの隆起要素は、締めひもを受容するように構成された少なくとも１つの締めひも開口部をさらに備える、請求項４に記載の履物製品。
【請求項７】
前記一体型ニットベロは、少なくとも部分的に一体の部分と、自由部分とを備え、
前記部分的に一体の部分は、前記スロート区域の前記前方部分で、前記ニット構成要素の前記スロート区域の前記外側側部および前記内側側部の一部に少なくとも沿った、前記アッパーを有する一体ニット構造から形成され、
前記自由部分は、前記一体型ニットベロの後方部分において前記部分的に一体の部分を有する一体ニット構造から形成され、前記ニット構成要素の残りの部分には取り付けられないままである、請求項１〜６のいずれか一項に記載の履物製品。
【請求項８】
前記アッパーは、第１の種類のヤーンを含み、
前記一体型ニットベロは、第２の種類のヤーンを含み、前記第２の種類のヤーンは前記第１の種類のヤーンとは異なる、請求項１〜７のいずれか一項に記載の履物製品。
【請求項９】
前記第２の種類のヤーンは弾性糸である、請求項８に記載の履物製品。
【請求項１０】
前記ニット構成要素は、少なくとも２つのニット要素層を備え、前記少なくとも２つのニット要素層は、
前記外側面と関連する前記ニット構成要素の一部を含む第１のニット要素層と、
前記内側面と関連する前記ニット構成要素の一部を含む第２のニット要素層と
を含み、前記第２のニット要素層は前記一体型ニットベロをさらに含む、請求項１〜９のいずれか一項に記載の履物製品。
【請求項１１】
前記第１のニット要素層および前記第２のニット要素層の少なくとも第１の部分は、前記ニット構成要素の前記スロート区域に沿って分離されている、請求項１０に記載の履物製品。
【請求項１２】
前記第１のニット要素層および前記第２のニット要素層の少なくとも第２の部分は、前記ニット構成要素の前記スロート区域に沿って接合されている、請求項１１に記載の履物製品。
【請求項１３】
履物製品のためのニット構成要素であって、前記ニット構成要素は、
前記ニット構成要素のアッパーを画定する部分と、
前記アッパーを有する一体ニット構造から形成され、前記ニット構成要素のスロート区域を通って延びている一体型ニットベロと
を備え、前記アッパーは前記ニット構成要素の外側面および反対側の内側面の少なくともどちらかの部分を含み、前記内側面は足を収容するための空洞を画定するように構成され、
前記一体型ニットベロは、前記アッパーの前方部分から足首開口部まで延びている前記ニット構成要素の前記スロート区域の外側側部および内側側部の一部に少なくとも沿って、前記スロート区域の前記前方部分に接合されている、ニット構成要素。
【請求項１４】
前記一体型ニットベロの少なくとも一部および前記アッパーの一部は、共通のヤーンを有する少なくとも１つのコースを含む、請求項１３に記載のニット構成要素。
【請求項１５】
前記アッパーの少なくとも一部および前記一体型ニットベロの一部は、共通のニット構造から形成される、請求項１３または１４に記載のニット構成要素。
【請求項１６】
前記アッパーおよび前記一体型ニットベロを有する一体ニット構造から形成された少なくとも１つの隆起要素をさらに備える、請求項１３〜１５のいずれか一項に記載のニット構成要素。
【請求項１７】
前記アッパーの外側側部および内側側部のそれぞれに配置され、前記ニット構成要素の前記外側面の上にある高さで延びている少なくとも２つの隆起要素を備える、請求項１６に記載のニット構成要素。
【請求項１８】
前記一体型ニットベロは、少なくとも部分的に一体の部分と自由部分とを含み、
前記部分的に一体の部分は、前記スロート区域の前記前方部分で、前記ニット構成要素の前記スロート区域の前記外側側部および前記内側側部の一部に少なくとも沿った、前記アッパーを有する一体ニット構造から形成され、
前記自由部分は、前記一体型ニットベロの後方部分において前記部分的に一体の部分を有する一体ニット構造から形成され、前記ニット構成要素の残りの部分には取り付けられないままである、請求項１３〜１７のいずれか一項に記載のニット構成要素。
【請求項１９】
前記アッパーは、第１の種類のヤーンを含み、
前記一体型ニットベロは、第２の種類のヤーンを含み、前記第２の種類のヤーンは前記第１の種類のヤーンとは異なる、請求項１３〜１８のいずれか一項に記載のニット構成要素。
【請求項２０】
前記第２の種類のヤーンは弾性糸である、請求項１９に記載のニット構成要素。
【請求項２１】
履物製品のためのニット構成要素であって、前記ニット構成要素は、
アッパーと、前記アッパーを有する一体ニット構造から形成され、前記ニット構成要素のスロート区域を通って延びている一体型ニットベロと、
少なくとも２つのニット要素層を備える前記ニット構成要素と
を備え、前記少なくとも２つのニット要素層は、
前記ニット構成要素の外側面の一部を含む第１のニット要素層と、
前記外側面と反対側に位置し、足を収容するための空洞を画定するように構成された前記ニット構成要素の内側面の一部を備える第２のニット要素層と
を含み、
前記一体型ニットベロは、前記アッパーの前方部分から足首開口部まで前記ニット構成要素の前記スロート区域の外側側部および内側側部の一部に少なくとも沿って、前記スロート区域の前記前方部分に接合されている、ニット構成要素。
【請求項２２】
前記第２のニット要素は、前記一体型ニットベロを備える、請求項２１に記載のニット構成要素。
【請求項２３】
前記第１のニット要素層および前記第２のニット要素層の少なくとも第１の部分は、前記ニット構成要素の前記スロート区域に沿って分離されている、請求項２１または２２に記載のニット構成要素。
【請求項２４】
前記第１のニット要素層および前記第２のニット要素層の少なくとも第２の部分は、前記ニット構成要素の前記スロート区域に沿って接合されている、請求項２３に記載のニット構成要素。
【請求項２５】
前記一体型ニットベロの少なくとも一部および前記アッパーの一部は、共通のヤーンを有する少なくとも１つのコースを含む、請求項２１〜２４のいずれか一項に記載のニット構成要素。
【請求項２６】
前記アッパーおよび前記一体型ニットベロを有する一体ニット構造から形成された少なくとも１つの隆起要素をさらに含む、請求項２１〜２５のいずれか一項に記載のニット構成要素。
【請求項２７】
前記第１のニット要素層は、前記少なくとも１つの隆起要素を備える、請求項２６に記載のニット構成要素。
【手続補正２】
【補正対象書類名】明細書
【補正対象項目名】００７９
【補正方法】変更
【補正の内容】
【００７９】
本実施形態では、スプール（図示せず）からの第１のヤーン１８０１は第１の標準フィーダー１８００を通過し、ヤーン１８０１の端部は、第１の標準フィーダー１８００の端部にある供給先端部から外向きに延びている。ヤーン１８０１が図示されているが、任意の他のストランド（例えば、フィラメント、スレッド、ロープ、帯、ケーブル、鎖、またはヤーン）が第１の標準フィーダー１８００を通過してもよい。第２のヤーン１８０３は同様に第２の標準フィーダー１８０２を通過し、供給先端部から外向きに延びている。例示的実施形態において、第１のヤーン１８０１および第２のヤーン１８０３を使用して、第１ニット構成要素５００の一部を形成できる。本実施形態では、第１のヤーン１８０１のループが第１ニット構成要素５００の内側かかと縁部５０７の最上部のコースを形成して示されており、針１７０３および針１７０４の端部に位置するフックによって保持されている。同様に、第２のヤーン１８０３のループを使用して、第１ニット構成要素の外側かかと縁部５０６を形成できる。
【手続補正３】
【補正対象書類名】明細書
【補正対象項目名】００８０
【補正方法】変更
【補正の内容】
【００８０】
次に、図１９に示すように、編み機１７００は第１ニット構成要素５００を形成する材料にさらなるコースを追加するために同様のプロセスを使用して、一体型ニットベロ５１２の外側周縁部５０４、内側周縁部５０５、外側内縁部５０８、内側内縁部５０９、および前方内縁部５１０を含むさらなる部分を形成できる。本実施形態では、第１の標準フィーダー１８００および第２の標準フィーダー１８０２は、前記図１６に示されるようなループ図に従って一体型ニットベロ５１２を形成してもよい。図２０は、アッパー５０２を形成する第１ニット構成要素５００の一体型ニットベロ５１２、外側隆起要素５１４、内側隆起要素５１５、および残りの一部を編むことと関連してコースを完成させる編み機１７００を示す。図２１は、第１ニット構成要素を形成する編みプロセスがほぼ完了した編み機１７００を示す。同様のプロセスを使用してさらなるコースを追加することによって、第１ニット構成要素５００を完成させることができる。
【手続補正４】
【補正対象書類名】明細書
【補正対象項目名】００９１
【補正方法】変更
【補正の内容】
【００９１】
ここで図２７を参照すると、第１のヤーン２６０１のループは、第４ニット構成要素１３００の内側かかと縁部１３０７の最上部のコースを形成して示され、第３のヤーン２６０５のループを使用して、第４ニット構成要素１３００の外側かかと縁部１３０６を形成してもよい。第２のヤーン２６０３は、第４ニット構成要素１３００のいずれかの部分を形成するために使用されなくてもよい。次に、図２８に示すように、編み機１７００は第４ニット構成要素１３００を形成する材料にさらなるコースを追加するために同様のプロセスを使用して、外側周縁部１３０４、内側周縁部１３０５、外側内縁部１３０８および内側内縁部１３０９を含むさらなる部分を形成できる。加えて、この時点で、第２の標準フィーダー２６０２は、第２のヤーン２６０３を使用して、一体型ニットベロ１３１０を含む第４ニット構成要素１３００の一部を形成し始めていてもよく、この一体型ニットベロ１３１０は針床１７０１、１７０２から完成済みの上端部１３１４まで延びている。
【手続補正５】
【補正対象書類名】図面
【補正対象項目名】図１７
【補正方法】変更
【補正の内容】
【図１７】
2016508426.tif 000001